【手続補正書】
【提出日】平成19年5月18日(2007.5.18)
【手続補正１】
【補正対象書類名】特許請求の範囲
【補正対象項目名】全文
【補正方法】変更
【補正の内容】
【特許請求の範囲】
【請求項１】
隣接する第１椎骨と第２椎骨の間に挿入するための脊椎移植片アッセンブリにおいて、
前記第１椎骨に係合するようになっている第１面と、これと反対側の第２面と、を含んでいる第１プレートと、
前記第２椎骨に係合するようになっている第３面と、これと反対側の、前記第１プレートの前記第２面と係合するようになっている第４面と、を含んでいる第２プレートと、を備えており、
前記第１及び第２プレートは、金属母材と、前記金属母材内に分散させた補強成分とを含んでいる金属母材の複合材を備えている、脊椎移植片アッセンブリ。
【請求項２】
前記金属母材は、チタニウム、チタニウムアルミニウム合金、ジルコニウム又はニオビウム、又はそれらの混合物、を含んでいる、請求項１に記載の脊椎移植片アッセンブリ。
【請求項３】
前記補強成分は、TiC、TiB2、TiN、TiAl、WC、BC4、BN、ダイヤモンド、ZrO2、Al2O3、及びそれらの混合物から成る群より選択される、請求項２に記載の脊椎移植片アッセンブリ。
【請求項４】
前記補強成分は、セラミックである、請求項１に記載の脊椎移植片アッセンブリ。
【請求項５】
前記補強成分は、金属間物質である、請求項１に記載の脊椎移植片アッセンブリ。
【請求項６】
前記金属母材の複合材は、その総重量に基づき、約1重量％から約９０重量％の補強成分を含んでいる、請求項１に記載の脊椎移植片アッセンブリ。
【請求項７】
前記金属母材の複合材は、その総重量に基づき、約２０重量％から約８０重量％の補強成分を含んでいる、請求項６に記載の脊椎移植片アッセンブリ。
【請求項８】
前記金属母材の複合材は、その総重量に基づき、約１０重量％から約３０重量％の補強成分を含んでいる、請求項７に記載の脊椎移植片アッセンブリ。
【請求項９】
前記第１プレートの前記第１面は、間隙率が約５％よりも大きい、請求項１に記載の脊椎移植片アッセンブリ。
【請求項１０】
前記第１プレートの前記第１面は、間隙率が約１０％よりも大きい、請求項９に記載の脊椎移植片アッセンブリ。
【請求項１１】
前記金属母材材料には、１つ又はそれ以上の治療薬が含ませてある、請求項９に記載の脊椎移植片アッセンブリ。
【請求項１２】
前記金属母材材料には、骨成長誘導剤が含ませてある、請求項９に記載の脊椎移植片アッセンブリ。
【請求項１３】
前記金属母材材料には、骨成長誘導剤が含ませてある、請求項１１に記載の脊椎移植片アッセンブリ。
【請求項１４】
前記金属母材の複合材は、少なくとも２０Rcの表面硬度を呈するように選択される、請求項１に記載の脊椎移植片アッセンブリ。
【請求項１５】
前記金属母材の複合材は、少なくとも約４５Rcの表面硬度を呈するように選択される、請求項１に記載の脊椎移植片アッセンブリ。
【請求項１６】
前記金属母材材料は、約８０％よりも高い密度を有する、請求項１に記載の脊椎移植片アッセンブリ。
【請求項１７】
前記金属母材材料は、約９０％よりも高い密度を有する、請求項１６に記載の脊椎移植片アッセンブリ。
【請求項１８】
前記補強成分は、前記金属母材材料全体に均質的に分散している、請求項１に記載の脊椎移植片アッセンブリ。
【請求項１９】
前記補強成分は、前記金属母材材料全体に非均質的に分散している、請求項１に記載の脊椎移植片アッセンブリ。
【請求項２０】
前記第１プレートは、前記第１面から前記第２面まで低下する前記補強成分の濃度勾配を呈している、請求項１に記載の脊椎移植片アッセンブリ。
【請求項２１】
前記第１プレートの前記第２面は、凸状隆起部を備え、前記第２プレートの前記第４面は、前記凸状隆起部を受け入れるための凹状レセプタクルを備えている、請求項１に記載の脊椎移植片アッセンブリ。
【請求項２２】
前記第１プレートと前記第２プレートは、前記第１プレートが前記第２プレートに対して平行移動及び回転運動ができるように構成されている、請求項１に記載の脊椎移植片アッセンブリ。
【請求項２３】
前記第１面は、骨係合構造を備えている、請求項１に記載の脊椎移植片アッセンブリ。
【請求項２４】
前記骨係合構造は、１つ又はそれ以上のリッジ、歯、溝、レール、及びワイヤメッシュを含んでいる、請求項２３に記載の脊椎移植片アッセンブリ。
【請求項２５】
前記第１面に対して斜めの角度で伸張し、記第１面が前記第１椎骨に係合したとき骨組織に重なるように配置されるフランジを備えている、請求項１に記載の脊椎移植片アッセンブリ。
【請求項２６】
前記第１プレート又は前記第２プレートは、複峰性の間隙率を呈する金属母材の複合材を備えている、請求項１に記載の脊椎移植片アッセンブリ。
【請求項２７】
前記第１プレートの前記第１面又は前記第２プレートの前記第３面は、複峰性の間隙率を呈する、請求項２６に記載の脊椎移植片アッセンブリ。
【請求項２８】
前記金属母材の複合材は、一体成形された多孔質層を覆う焼結層を含んでいる、２層又はそれ以上の層を備えている、請求項２６に記載の脊椎移植片アッセンブリ。
【請求項２９】
前記第１プレートは、第１金属母材の複合材を備えており、前記第２プレートは、前記第１金属母材の複合材とは異なる第２金属母材の複合材を備えている、請求項１に記載の脊椎移植片アッセンブリ。
【請求項３０】
前記第１金属母材の複合材は、第１補強材料を含んでおり、前記第２金属母材の複合材は、前記第１補強材料とは異なる第２補強材料を含んでいる、請求項２９に記載の脊椎移植片アッセンブリ。
【請求項３１】
前記第１金属母材の複合材は、第１間隙率を有し、前記第２金属母材の複合材は、前記第１間隙率とは異なる第２間隙率を有している、請求項２９に記載の脊椎移植片アッセンブリ。
【請求項３２】
前記第１金属母材の複合材は、第１間隙率を有し、前記第２金属母材の複合材は約１００％の密度である。請求項２９に記載の脊椎移植片アッセンブリ。
【請求項３３】
前記第１プレートの前記第１面は、複峰性の多孔質構造を有している、請求項１に記載の脊椎移植片アッセンブリ。
【請求項３４】
隣接する第１椎骨と第２椎骨の間に挿入するための脊椎移植片アッセンブリにおいて、
前記第１椎骨に係合するようになっている第１面と、これと反対側の、第１陥凹部を有する第２面と、を含んでいる第１プレートと、
前記第２椎骨に係合するようになっている第３面と、これと反対側の、前記第１プレートの前記第１陥凹部に相対する第２陥凹部を有する第４面と、を含んでいる第２プレートと、
前記第１陥凹部と前記第２陥凹部の間に配置された関節運動要素と、を備えており、
前記関節運動要素と前記第１及び第２プレートは、それぞれ、金属母材と、前記金属母材内に分散させた補強成分とを含んでいる金属母材の複合材を備えている、脊椎移植片アッセンブリ
【請求項３５】
前記関節運動要素は、球状、円筒状、楕円形状、円板形状、又はウェーハ形状である、請求項３４に記載の脊椎移植片アッセンブリ。
【請求項３６】
前記金属母材の複合材は、その総重量に基づき、約１重量％から約９０重量％の補強成分を含んでいる、請求項３４に記載の脊椎移植片アッセンブリ。
【請求項３７】
前記金属母材の複合材は、その総重量に基づき、約２０重量％から約８０重量％の補強成分を含んでいる、請求項３６に記載の脊椎移植片アッセンブリ。
【請求項３８】
前記第１プレートと前記関節運動要素は、一体構造である、請求項３４に記載の脊椎移植片アッセンブリ。
【請求項３９】
前記第１プレートと前記関節運動要素は、一体構造ではない、請求項３４に記載の脊椎移植片アッセンブリ。
【請求項４０】
前記金属母材の複合材は、その総重量に基づき、約１０重量％から約３０重量％の補強成分を含んでいる、請求項３４に記載の脊椎移植片アッセンブリ。
【請求項４１】
前記第１プレートの前記第１面は、間隙率が約５％よりも大きい、請求項３４に記載の脊椎移植片アッセンブリ。
【請求項４２】
前記第１プレートの前記第１面は、間隙率が約１０％よりも大きい、請求項３４に記載の脊椎移植片アッセンブリ。
【請求項４３】
前記金属母材材料には、１つ又はそれ以上の治療薬が含ませてある、請求項４１に記載の脊椎移植片アッセンブリ。
【請求項４４】
医療用装置において、
患者の治療又は診断のための移植可能な部分であって、金属母材と前記マトリクス内に分散させた補強成分とを備えている金属母材の複合材を含んでいる第１層を備えている移植可能部分、を備えている医療用装置。
【請求項４５】
人工円板を備えている、請求項４４に記載の装置。
【請求項４６】
カテーテルを備えている、請求項４４に記載の装置。
【請求項４７】
骨プレートを備えている、請求項４４に記載の装置。
【請求項４８】
ペースメーカー又は刺激電極用の電極リード線を備えている、請求項４４に記載の装置。
【請求項４９】
前記金属母材の複合材は、チタニウム、チタニウムアルミニウム合金、ジルコニウム、ニオビウム、コバルト、クロム合金、タンタラム、タンタラム合金、ニチノール、ステンレス鋼、及び／又はそれらの混合物から成る群の或る構成要素を含んでいる、請求項４４に記載の装置。
【請求項５０】
前記補強成分は、TiC、TiB2、TiN、TiAl、WC、BC4、BN、ダイヤモンド、ZrO2、Al03、及びそれらの混合物から成る群より選択される、請求項４４に記載の装置。
【請求項５１】
前記金属母材の複合材は、１重量％から９０重量％の補強成分を含んでいる、請求項４４に記載の装置。
【請求項５２】
前記移植可能部分には、治療薬が含ませてある、請求項４４に記載の装置。
【請求項５３】
医療用装置において、
金属母材と、前記母材内に分散させた第１補強成分とを備えている第１金属母材の複合材を含んでいる第１層を備えている人工円板を備えている、医療用装置。
【請求項５４】
前記第１金属母材は、チタニウム、チタニウム合金、ジルコニウム、ニオビウム、又はそれらの混合物を備えている、請求項５３に記載の脊椎移植片。
【請求項５５】
前記第１補強成分は、TiC、TiB2、TiN、TiAl、WC、BC4、BN、ダイヤモンド、ZrO2、Al203、及びそれらの混合物から成る群より選択される、請求項５３に記載の装置。
【請求項５６】
前記第１金属母材の複合材は、その総重量に基づき、約１重量％から約９０重量％の前記第１補強成分を含んでいる、請求項５３に記載の装置。
【請求項５７】
前記第１金属母材の複合材は、その総重量に基づき、約２０重量％から約８０重量％の前記第１補強成分を含んでいる、請求項５６に記載の装置。
【請求項５８】
前記第１金属母材の複合材は、その総重量に基づき、約１０重量％から約３０重量％の前記第１補強成分を含んでいる、請求項５７に記載の装置。
【請求項５９】
第２金属母材の複合材を含んでいる第２層を備えている、請求項５３に記載の装置。
【請求項６０】
前記第２金属母材の複合材は、前記第１金属母材の複合材とは異なる、請求項５９に記載の装置。
【請求項６１】
前記第２金属母材の複合材は、前記第１補強成分とは異なる第２補強成分を含んでいる、請求項５９に記載の装置。
【請求項６２】
前記第１層は、第１間隙率を有するように構成されており、前記第２層は、前記第１間隙率とは異なる第２間隙率を有するように構成されている、請求項５９に記載の装置。
【請求項６３】
１つ又はそれ以上の治療薬を備えている、請求項５９に記載の装置。
【請求項６４】
前記第１層に重ねられた焼結層を備えている、請求項５３に記載の装置。
【請求項６５】
医療用装置において、
患者の治療又は診断のための移植可能部分であって、金属母材と、前記母材内に分散させた補強成分とを含んでいる金属母材の複合材を備えている移植可能部分を含んでいるカテーテルを備えている、医療用装置。
【請求項６６】
前記金属母材の複合材は、チタニウム、チタニウムアルミニウム合金、ジルコニウム、及びニオビウム、又はそれらの混合物から成る群より選択された金属又は合金を含んでいる、請求項６５に記載の装置。
【請求項６７】
前記補強成分は、TiC、TiB2、TiN、TiAl、WC、BC4、BN、ダイヤモンド、ZrO2、Al203、及びそれらの混合物から成る群より選択される、請求項６５に記載の装置。
【請求項６８】
前記金属母材の複合材は、その総重量に基づき、約１重量％から約９０重量％の前記補強成分を含んでいる、請求項６５に記載の装置。
【請求項６９】
前記金属母材の複合材は、その総重量に基づき、約２０重量％から約８０重量％の前記補強成分を含んでいる、請求項６８に記載の装置。
【請求項７０】
前記金属母材の複合材は、間隙率が約５％より大きい、請求項６５に記載の装置。
【請求項７１】
前記金属母材の複合材には、１つ又はそれ以上の治療薬が含ませてある、請求項６５に記載の装置。
【請求項７２】
前記金属母材の複合材は、体積の異なる複数の孔を呈する、請求項６５に記載の装置。
【請求項７３】
前記金属母材の複合材は、焼結層を備えている、請求項６５に記載の装置。
【請求項７４】
医療用装置において、
患者の治療又は診断のための移植可能部分を含んでいる、ペースメーカー又は刺激電極用の電極リード線を備えており、前記移植可能部分は、金属母材と、前記母材内に分散させた補強成分とを備えている金属母材の複合材を含んでいる第１層を備えている、医療用装置。
【請求項７５】
前記金属母材の複合材は、チタニウム、チタニウムアルミニウム合金、ジルコニウム、及びニオビウム、又はそれらの混合物から成る群より選択された金属又は合金を含んでいる、請求項７４に記載の装置。
【請求項７６】
前記補強成分は、TiC、TiB2、TiN、TiAl、WC、BC4、BN、ダイヤモンド、ZrO2、Al203、及びそれらの混合物から成る群より選択される、請求項７４に記載の装置。
【請求項７７】
前記金属母材の複合材は、その総重量に基づき、約１重量％から約９０重量％の前記補強成分を含んでいる、請求項７４に記載の装置。
【請求項７８】
前記金属母材の複合材は、その総重量に基づき、約２０重量％から約８０重量％の前記補強成分を含んでいる、請求項６７に記載の装置。
【請求項７９】
前記金属母材の複合材は、その総重量に基づき、約１０重量％から約３０重量％の前記補強成分を含んでいる、請求項６８に記載の装置。
【請求項８０】
前記金属母材の複合材は、間隙率が約５％より大きい、請求項７４に記載の装置。
【請求項８１】
前記金属母材の複合材は、間隙率が約１０％より大きい、請求項８０に記載の装置。
【請求項８２】
前記金属母材の複合材には、１つ又はそれ以上の治療薬が含ませてある、請求項７４に記載の装置。
【請求項８３】
前記金属母材の複合材は、体積の異なる複数の孔を呈する、請求項７４に記載の装置。
【請求項８４】
前記金属母材の複合材は、焼結層を備えている、請求項７４に記載の装置。
【請求項８５】
医療用装置において、
患者の治療又は診断のための骨プレートを備えており、前記部分は、金属母材と、前記金属母材内に分散させた補強成分とを備えている金属母材の複合材を含んでいる第１層を備えている、医療用装置。
【請求項８６】
前記金属母材の複合材は、チタニウム、チタニウムアルミニウム合金、ジルコニウム、及びニオビウム、又はそれらの混合物から成る群より選択された金属又は合金を含んでいる、請求項８５に記載の装置。
【請求項８７】
前記補強成分は、TiC、TiB2、TiN、TiAl、WC、BC4、BN、ダイヤモンド、ZrO2、Al203、及びそれらの混合物から成る群より選択される、請求項８５に記載の装置。
【請求項８８】
前記金属母材の複合材は、その総重量に基づき、約１重量％から約９０重量％の前記補強成分を含んでいる、請求項８５に記載の装置。
【請求項８９】
前記金属母材の複合材は、間隙率が約５％より大きい、請求項８５に記載の装置。
【請求項９０】
前記金属母材の複合材には、１つ又はそれ以上の治療薬が含ませてある、請求項８５に記載の装置。
【請求項９１】
前記金属母材の複合材は、体積の異なる複数の孔を呈する、請求項８５に記載の装置。
【請求項９２】
前記金属母材の複合材は、焼結層を備えている、請求項８５に記載の装置。
【手続補正２】
【補正対象書類名】明細書
【補正対象項目名】０００４
【補正方法】変更
【補正の内容】
【０００４】
同時に、移植片の関節運動面の摩耗により屑が発生することに伴う不都合又は毒性の問題をできる限り小さくすることも重要である。従って、金属移植片は、ＣｏＣｒ合金のような、耐摩耗性を有し生理学的に受け入れ可能な材料で製作されている。
【特許文献１】米国特許第６，１１３，６３７号明細書
【特許文献２】米国特許第４，６４１，６３６号明細書
【特許文献３】米国特許第５，１４７，３６０号明細書
【特許文献４】米国特許第６，２９３，９４９号明細書
【特許文献５】米国特許第６，１５２，９２７号明細書
【発明の開示】
【発明が解決しようとする課題】
【手続補正３】
【補正対象書類名】明細書
【補正対象項目名】０００７
【補正方法】変更
【補正の内容】
【０００７】
従って、上記問題点に鑑み、関連分野における進歩が引き続き必要とされている。この進歩には、医療分野で使用するための新しい移植片の設計、医療用装置、及び新しい材料組成が含まれる。本発明は、そのような進歩であり、様々な追加の有益性と利点を提供している。
【課題を解決するための手段】